(57)【要約】【課題】安全性と美観に優れた階段部位の表示装置を提供すること。【解決の手段】階段の構成部材に白色又は赤色発光ダイオードが取り付けられ、表面に印刷模様を有する合成樹脂製化粧シートが該ダイオードを覆うように該構成部材に貼り付けられた構造において、該化粧シートの６５０ｎｍの波長における全光線透過率が５〜２５％であることを特徴とする階段部位の発光表示装置であり、安全上のメリットがあるばかりでなく、インテリアとしての美観上優れた効果を奏する。【特許請求の範囲】
【請求項１】
階段の蹴込み板に白色又は赤色発光ダイオードが取り付けられ、表面に印刷模様を有する合成樹脂製化粧シートが該ダイオードを覆うように該蹴込み板に貼り付けられた構造において、該化粧シートの６５０ｎｍの波長における全光線透過率が５〜２５％であることを特徴とする階段部位の発光表示装置。
【請求項２】
階段の踏み板に白色又は赤色発光ダイオードが取り付けられ、表面に印刷模様を有する合成樹脂製化粧シートが該ダイオードを覆うように該踏み板に貼り付けられた構造において、該化粧シートの６５０ｎｍの波長における全光線透過率が５〜２５％であることを特徴とする階段部位の発光表示装置。
【請求項３】
階段の少なくとも一方の側板に白色又は赤色発光ダイオードが取り付けられ、表面に印刷模様を有する合成樹脂製化粧シートが該ダイオードを覆うように該側板に貼り付けられた構造において、該化粧シートの６５０ｎｍの波長における全光線透過率が５〜２５％であることを特徴とする階段部位の発光表示装置。
【発明の詳細な説明】
【０００１】
【発明の属する技術分野】
本発明は、主として住宅のボックス型階段における階段部位の表示構造に関するものである。
【０００２】
【従来の技術】
ボックス型階段は、オープン型階段とは異なり、側壁と蹴込み板に囲まれているため足下が暗いので、足下を照らす照明装置が提案されている。
【０００３】
しかしながら、このような照明装置を取り付けると、美観を損なうばかりでなく、消費電力の点でも不経済であった。
【０００４】
【発明が解決しようとする課題】
本発明は、上記のような従来の問題点を解消し、美観を損なうことがなく、階段部位を表示することができる構造を提供することを目的としてなされたものである。
【０００５】
【課題を解決するための手段】
本発明者らは、鋭意研究した結果、階段を構成する部材の所望位置に発光ダイオードを取り付け、その上に木目等の印刷模様を有する化粧シートを貼り付けることにより上記の課題が達成できることを見出し、本発明を完成した。
すなわち、本発明における第一発明の要旨は、階段の蹴込み板に白色又は赤色発光ダイオードが取り付けられ、表面に印刷模様を有する合成樹脂製化粧シートが該ダイオードを覆うように該蹴込み板に貼り付けられた構造において、該化粧シートの６５０ｎｍの波長における全光線透過率が５〜２５％であることを特徴とする階段部位の発光表示装置に存する。
また、第二発明の要旨は、発光ダイオードの取り付け位置を第一発明における蹴込み板に代えて踏み板にしたものであり、第三発明の要旨は、同様に第一発明における蹴込み板に代えて側板にしたものである。
【０００６】
本発明において用いられる発光ダイオードは、発光ダイオードから発せられる光が発光ダイオードを覆う化粧シートを透過して発光表示される機能を有する白色又は赤色発光ダイオードであり、白色発光ダイオードはダイオードチップから出る紫外線を蛍光体により可視光に変換させるものである。
【０００７】
本発明において用いられる表面に印刷模様を有する合成樹脂製化粧シートは、通常、顔料を混入したポリ塩化ビニルやポリエステルの合成樹脂をカレンダー成形や押出成形により成形した厚さ０．１ｍｍ程度の着色シートの表面に木目、石目等の模様を印刷することによって製造される。この化粧シートは、６５０ｎｍの波長における全光線透過率が５〜２５％になるように、シートの厚さ、シート及び印刷層に混入される顔料の量などを調整しなければならない。６５０ｎｍの波長における全光線透過率が５％未満では、発光表示効果が不十分であり、２５％を超えると、化粧シートを通して中の下地の材料が透けて見えるので美観上好ましくない。また、化粧シートの５５０ｎｍの波長における全光線透過率は、１０％を超えると、同様下地の材料が透けて見えるので、この波長での全光線透過率は１０％以下、好ましくは８％以下の範囲である。
【０００８】
本発明において、白色又は赤色発光ダイオードが取り付けられ、表面に印刷模様を有する合成樹脂製化粧シートが貼り付けられる階段の構成部材は、第一発明においては蹴込み板であり、第二発明においては踏み板であり、第三発明においては側板である。
【０００９】
【作用】
本発明の階段部位の発光表示装置は、白色又は赤色発光ダイオードを６５０ｎｍの波長における全光線透過率が５〜２５％である表面に印刷模様を有する合成樹脂製化粧シートで覆う構造であるため、ダイオードを発光させない昼間など周囲が明るいときは、内部のダイオードが階段生地の色模様と調和のとれた木目印刷模様の施された化粧シートで隠蔽され、夜間など周囲が暗いときにダイオードを発光させると、内部のダイオードを発光表示することができる。
【００１０】
【発明の実施の形態】
以下、本発明の実施の形態を説明する。
【００１１】
第一発明の実施の形態を説明すると、先ず、ボックス型階段の踏み板間の空間を遮蔽する垂直壁である蹴込み板に、白色又は赤色発光ダイオードを取り付ける。発光ダイオードの取り付け位置は、蹴込み板の全幅に渡って発光ダイオードを連続して又は断続的に配置してもよいし、蹴込み板の幅方向の一部に配置してもよい。発光ダイオードは蹴込み板に埋め込み、発光ダイオードが蹴込み板の表面から出ないように取り付ける。
【００１２】
次に、蹴込み板に取り付けられた発光ダイオードを覆うように表面に木目印刷模様を有する合成樹脂製化粧シートを蹴込み板に貼り付ける。化粧シートは、通常、蹴込み板の全面に貼り付けるのが美観上好ましい。
【００１３】
蹴込み板への発光ダイオードの取り付けと化粧シートの貼り付けは、既設の蹴込み板に施すことも可能であるが、予め必要な加工を施した蹴込み板を階段の部材として使用するのが効率的である。
【００１４】
第二発明においては、発光ダイオードを階段の踏み板に取り付ける。発光ダイオードの取り付け位置は踏み板の木端面又は上下面であるが、木端面が好ましい。発光ダイオードの配置と取り付けや化粧シートの貼り付けの態様は、第一発明の態様と同様である。また、予め必要な加工を施した踏み板を用いて階段を組み立てるのがよい。
【００１５】
第三発明においては、発光ダイオードを壁板などで構成される階段の側板の所望箇所に取り付ける。発光ダイオードの取り付けや化粧シートの貼り付けの態様は、第一発明の態様と同様である。また、階段の両側の壁板又は側板は予め必要な加工を施しておくのがよい。
【００１６】
本発明の実施の形態としては、第一〜三発明のいずれかを少なくとも一つ実施したものを全て包含する。
【００１７】
【実施例】
次に、本発明の内容を実施例によって更に詳細に説明する。
【００１８】
実施例１
縦２５ｃｍ×横８０ｃｍ×厚さ１．５ｃｍのラワン材に、赤色発光ダイオードを木板の表面から外方に出ないように埋め込んで５個取り付けた。発光ダイオードは、縦方向中央部に横方向一列に配置し、両側を２０ｃｍずつ空け、１０ｃｍ間隔で断続的に配置した。発光ダイオードを取り付けたラワン材の前面の全体に、６５０ｎｍの波長における全光線透過率が１４．６％、５５０ｎｍの波長における全光線透過率が３．５％である表面に木目印刷模様を有する厚さ０．１ｍｍの合成樹脂製化粧シート（シーアイ化成社製、「ベルビアンＳＷ−４６」）裏面の粘着剤で貼り付けた。
このように加工した化粧板を階段の踏み板に用い、夜間に発光ダイオードに通電したところ、発光ダイオードを取り付けたの部分が鮮明に発光して、場所を表示することができた。また、昼間は内部の発光ダイオードが透けて見えることもなかった。
【００１９】
実施例２
６５０ｎｍの波長における全光線透過率が１２．８％、５５０ｎｍの波長における全光線透過率が５．０％である表面に木目印刷模様を有する厚さ０．１ｍｍの合成樹脂製化粧シート（シーアイ化成社製、「ベルビアンＷ−３４５」）を用い、蹴込み板として用いたこと以外は実施例１と同様にして試験したところ、発光ダイオードを取り付けたの部分が鮮明に発光して、場所を表示することができた。また、昼間は内部の発光ダイオードが透けて見えることもなかった。
【００２０】
実施例３
６５０ｎｍの波長における全光線透過率が８．６％、５５０ｎｍの波長における全光線透過率が１．５％である表面に木目印刷模様を有する厚さ０．１ｍｍの合成樹脂製化粧シート（シーアイ化成社製、「ベルビアンＳＷ−７１」）を用いたこと以外は実施例１と同様にして試験したところ、発光ダイオードを取り付けたの部分が鮮明に発光して、場所を表示することができた。また、昼間は内部の発光ダイオードが透けて見えることもなかった。
【００２１】
実施例４
縦２５ｃｍ×横２０ｃｍ×厚さ１．５ｃｍのラワン材に、白色発光ダイオードを木板の表面から外方に出ないように埋め込んで１個取り付けた。発光ダイオードは、中心部に配置した。発光ダイオードを取り付けたラワン材の前面の全体に６５０ｎｍの波長における全光線透過率が８．３％、５５０ｎｍの波長における全光線透過率が７．４％である表面に石目印刷模様を有する厚さ０．１ｍｍの合成樹脂製化粧シート（シーアイ化成社製、「ベルビアンＣ−６２２」）裏面の粘着剤で貼り付けた。
このように加工した化粧板を階段の側板に用い、夜間に発光ダイオードに通電したところ、発光ダイオードを取り付けたの部分が鮮明に発光して、場所を表示することができた。また、昼間は内部の発光ダイオードが透けて見えることもなかった。
【００２２】
比較例１
６５０ｎｍの波長における全光線透過率が２．７％、５５０ｎｍの波長における全光線透過率が０．２％である表面に木目印刷模様を有する厚さ０．１ｍｍの合成樹脂製化粧シート（シーアイ化成社製、「ベルビアンＷ−２４５」）を用いたこと以外は実施例１と同様にして試験したところ、発光が不鮮明であった。
【００２３】
【発明の効果】
本発明によれば、白色又は赤色発光ダイオードの発する光により、暗がりでも階段部位を発光表示できるので、安全上のメリットがあるばかりでなく、光源が化粧シートで覆われ、かつ、非発光状態では化粧シートの色模様が鮮明に見えながら、光源も透けて見えないので、インテリアとしての美観上優れた効果を奏するものである。